(57)【要約】【課題】  出入口に段差がなく、レベル調整や保守作業のための開口部が設けられ、使用時に人が転倒する危険を防止可能であり、製造コストが安価であるシャワーコアユニット防水パン構造を提供する。【解決手段】  短辺と長辺の寸法比が１：１．３以上であるシャワーコアユニット用防水パン構造であって、排水口３が短辺側中央付近に配設され、長辺側壁パネル設置面２ａからの距離ｔが３０ｍｍ以上内側の領域において排水勾配面が７面以上設けられている。【選択図】  図１６
2006257837.tif 000002
【特許請求の範囲】
【請求項１】
短辺と長辺の寸法比が１：１．３以上であるシャワーコアユニット用防水パン構造であって、排水口が短辺側中央付近に配設され、長辺側壁パネル設置面からの距離が３０ｍｍ以上内側の領域において排水勾配面が７面以上設けられていることを特徴とするシャワーコアユニット用防水パン構造。
【請求項２】
床面の主要領域を含む排水勾配面の勾配が２０／１０００〜４０／１０００であることを特徴とする請求項１記載のシャワーコアユニット用防水パン構造。
【請求項３】
主要領域における勾配が排水口方向に形成されていることを特徴とする請求項２記載のシャワーコアユニット用防水パン構造。
【発明の詳細な説明】
【技術分野】
【０００１】
本発明はシャワーコアユニット防水パン構造に関する。
【背景技術】
【０００２】
従来、シャワーコアユニット防水パン（以下、単に「防水パン」ともいう。）の構造における排水口の設置は主として、
（１）コーナー部（図１参照）、
（２）長辺側中央付近（図２参照）、
（３）短辺側中央付近（図３参照）
の３つのパターンが主流となっている。また、それぞれの防水パンには排水口に向かって水下となる排水勾配が設けられるている。
【０００３】
上記排水勾配としては、ユニット内の水を排水口へスムーズに導くために、２０／１０００以上であることが好ましく、また、人が転倒するの恐れの無いような勾配としては４０／１０００以下であることが好ましい。
【０００４】
つまり、シャワーコアユニットを使用する際に人が主に活用する領域は、例えば図４に示すように、長辺側壁パネル設置面２ａ，２ａより１００ｍｍ以上内側で、排水口３と反対側の短辺側壁パネル設置面２ｂから排水口３までの領域５であり、上記の理由から、この部分の排水勾配は２０／１０００〜４０／１０００とすることが好ましい。尚、本発明においては、上記領域５を「主要領域」と定義する。
【０００５】
上記排水勾配の形成方法としては、例えば、図５〜７に示すように、排水口３に向かって床面に勾配７ａ［図中白抜きの矢印で示す。矢印の方向が勾配の向き（排水方向）を示す。］を設け、パネル設置面２に沿って排水口３に向かう勾配７ｂが設けられた溝６に、床全体の水を排水口に誘導する方法や、図８〜１０に示すように、途中で排水勾配の方向を変えるための線を引き（以下、「稜線」と呼ぶ。）、稜線８で勾配８ａ，８ｂが折れ曲がる形状を設け、それぞれ稜線によって分かれた面で水を排水口３に誘導させる方法などが挙げられるが、前者の図５〜７に示す排水勾配の形成方法は、排水口３周りの溝６に汚れが溜まりやすい形状となるため、手入れに負担がかかるという問題があり、後者の図８〜１０に示す排水勾配の形成方法が一般に好ましく用いられていた。
【０００６】
また、近年の浴室ユニットにおいては、出入口に段差のないユニットが主流となってきており、シャワーコアユニットに関しても、防水パンを１体型のパンで成形し、出入口に段差のないユニットを形成させる場合には、     少なくともドア枠が設置される位置（以下、「ドア位置」ともいう。）よりも内側向かって２０mm程度は勾配を付けない構造とすることが望まれている。更に、防水パンを１体型で成形する場合には、ユニットの内側から床レベルの調整を行ったり、配管の接続、点検又は交換などの保守作業を行うための開口部を設けておくことが望まれている。
【０００７】
ところで、図１に示すように、排水口３の位置がコーナー部にある防水パンは、躯体におけるドアの位置が反対側の位置になる場合には、図１１に示すように排水口３の位置も反対側のコーナー部に設置する方が好ましいため、この場合ユニットのドア位置４によって、同機種における防水パン成形用の型が２つ以上必要になり、イニシャルコストが大きくなってしまうという問題があった。
【０００８】
また、図２に示すように、排水口３の位置が短辺側中央付近にある防水パンに関しては、床レベル調整又は配管の保守作業を行うための開口部９を設ける場合、例えば、図１２又は図１３に示すような位置に開口部９を設ける構造となる。しかしながら図１２に示すように、排水口３の両側に隣接して開口部９を複数設けた場合には、開口部９を隠蔽するために複数の蓋が必要となり、開口部９を止水するための蓋やその上に意匠感を持たせるためのカバーを設置するために、蓋やカバーの製品単価が２倍必要となるだけでなく、さらに給水給湯などの配管をユニット内部に導入する場合には、内部配管を隠蔽するためのカバーも必要となるという問題があった。また、内部配管が中央に導入されていないために全体の意匠感、バランスがとり難くなるという問題もあった。
【０００９】
また、図１３に示すように、排水口３の位置を長辺側中央付近の内側寄りに設けて、開口部９を長辺側中央付近に設けた場合には、図１４に示すように、主要領域５が長方形になって、圧迫感を感じ易くなるという問題があった。
【００１０】
また、図３に示すように、排水口３の位置が短辺側中央付近にある防水パンに関しては、例えば、図１５に示すような寸法で、排水口３をユニット内側寄りに設けて、開口部９を短辺側中央付近に設けたとしても、長辺側の排水勾配８ａに対して、短辺側の排水勾配８ｂが大きくなりすぎるという問題があった。即ち、図１５に示すように、短辺ａと長辺ｂの寸法比を１：１．３、長辺側の排水勾配８ａを２０／１０００に設定した場合でも、短辺側の排水勾配８ｂは、
短辺側の排水勾配＝［（２０／１０００）×１０００］／４００＝５０／１０００
となり、安全な勾配の上限とされる４０／１０００を大きく超え、使用時に人が転倒する危険を誘発するという問題があった。
【発明の開示】
【発明が解決しようとする課題】
【００１１】
本発明の目的は、上記従来の問題点に鑑み、短辺と長辺の寸法比が１：１．３以上であるシャワーコアユニット防水パンにおいて、出入口に段差がなく、レベル調整や保守作業のための開口部が設けられ、使用時に人が転倒する危険を防止可能であり、製造コストが安価であるシャワーコアユニット防水パン構造を提供することにある。
【課題を解決するための手段】
【００１２】
請求項１記載のシャワーコアユニット用防水パン構造は、短辺と長辺の寸法比が１：１．３以上であるシャワーコアユニット用防水パン構造であって、排水口が短辺側中央付近に配設され、長辺側壁パネル設置面からの距離が３０ｍｍ以上内側の領域において排水勾配面が７面以上設けられていることを特徴とする。
【００１３】
請求項２記載のシャワーコアユニット用防水パン構造は、請求項１記載のシャワーコアユニット用防水パン構造であって、床面の主要領域を含む排水勾配面の勾配が２０／１０００〜４０／１０００であることを特徴とする。
【００１４】
請求項３記載のシャワーコアユニット用防水パン構造は、請求項２記載のシャワーコアユニット用防水パン構造であって、主要領域における勾配が排水口方向に形成されていることを特徴とする。
【発明の効果】
【００１５】
本発明のシャワーコアユニット用防水パン構造は、短辺と長辺の寸法比が１：１．３以上であるシャワーコアユニット用防水パン構造であって、排水口が短辺側中央付近に配設され、長辺側壁パネル設置面からの距離が３０ｍｍ以上内側の領域において排水勾配面が７面以上設けられていることを特徴とするので、出入口に段差がなく、レベル調整や保守作業のための開口部が設けられ、使用時に人が転倒する危険を防止可能であり、製造コストが安価であるシャワーコアユニット防水パン構造を提供することができる。
【００１６】
上記防水パン構造において、床面の主要領域を含む排水勾配面の勾配が２０／１０００〜４０／１０００である場合には、上記効果は更に確実なものとなる。
【００１７】
また、上記防水パン構造において、主要領域における勾配が排水口方向に形成されている場合には、上記効果は更に確実なものとなる。
【発明を実施するための最良の形態】
【００１８】
以下、本発明を実施するための最良の形態について、図面を参照しつつ説明する。
【００１９】
本発明のシャワーコアユニット防水パン構造は、図１６に示すように、排水口３が短辺側中央付近に配設され、長辺側壁パネル設置面２ａ，２ａからの距離ｔが３０ｍｍ以上内側の領域で７面の排水勾配面３１〜３７が設けられている。
【００２０】
排水勾配設計としては、まず長辺側壁パネル設置面２ａ，２ａからの距離ｔが０〜２０ｍｍ程度の領域は、ドアを設置する領域と重なるので、０勾配（この領域の設置高さを「水上」と呼ぶ）とする。
【００２１】
次に図１７に示すように、排水勾配面３１においては、排水口３から一番遠い短辺側から排水口３に向かって２０／１０００〜４０／１０００の勾配をとる（この時の排水口３の設置高さを「水下」と呼ぶ）。
【００２２】
排水口３から開口部８側短辺の排水勾配面３６，３７に関しては、主要領域では無いので、図１８に示すように、水下から水上へと急勾配を設ける。
【００２３】
長辺側から排水口３への排水勾配は、排水勾配面３２，３３においては、図１９に示すように主要領域５に重なるので、２０／１０００〜４０／１０００の勾配とし、残りの部分での排水勾配面３４，３５においては、水上までの急勾配を設ける。
【００２４】
このように、排水勾配面を７面設けることにより、防水パンを７面以上にすることにより、主要領域の排水勾配が２０／１０００〜４０／１０００であることが可能となり、使用時に人が転倒する危険を防止することができる。
【実施例】
【００２５】
以下、本発明の詳細を実施例に基づいて説明する。
以下に実施例および比較例を示すことにより、本発明を具体的に説明する。
尚、本発明は下記実施例のみに限定されるものではない。
【００２６】
（実施例１）
図２０に示すように、短辺ａ＝８００ｍｍ、長辺ｂ＝１３００ｍｍのシャワーコアユニット用防水パンにおいて、排水口３が短辺側中央付近に配設され、長辺側壁パネル設置面２ａ，２ａからの距離が３０ｍｍ以上内側の領域において７面の排水勾配面３１〜３７が設けられたシャワーコアユニット用防水パンを作製した。各部の寸法は図示する通りである。
【００２７】
（比較例１）
図２１に示す寸法とし、排水勾配面を３面（３１〜３３）としたこと以外は実施例１と同様に防水パンを作製した。
（比較例２）
図２２に示す寸法とし、排水口３を長辺側中央付近に配設したこと以外は比較例１と同様に防水パンを作製した。
【００２８】
得られた実施例及び比較例の防水パンについて、図中に示すＡ〜Ｄ部の設置高さを測定するとともに、Ａ→Ｂ、Ａ→Ｃ、Ａ→Ｄ、Ｄ→Ｃ部における勾配を求めた。測定結果は表１及び２に示した。また、排水勾配の適性及び主要領域での快適性について以下の基準で評価した。評価結果は、主要領域の寸法とともに表３に示した。
［排水勾配の適性］
○：排水勾配が２０／１０００〜４０／１０００
×：排水勾配が上記範囲以外
［主要領域での快適性］
○：快適である
×：圧迫感がある
【００２９】
【表１】
2006257837.tif 000003
【００３０】
【表２】
2006257837.tif 000004
【００３１】
【表３】
2006257837.tif 000005
【００３２】
表１〜３より明らかなように、本発明の実施例によれば、出入口に段差がなく、レベル調整や保守作業のための開口部が設けられ、主要領域の排水勾配を２０／１０００〜４０／１０００とすることが可能であることが判明した。
【図面の簡単な説明】
【００３３】
【図１】コーナー部に排水口を設けた防水パンの説明図である。
【図２】長辺側中央付近に排水口を設けた防水パンの説明図である。
【図３】短辺側中央付近に排水口を設けた防水パンの説明図である。
【図４】防水パンにおける主要領域を示す説明図である。
【図５】防水パンにおける排水勾配の形成方法を例示する説明図である。
【図６】防水パンにおける排水勾配の形成方法を例示する説明図である。
【図７】防水パンにおける排水勾配の形成方法を例示する説明図である。
【図８】防水パンにおける排水勾配の形成方法を例示する説明図である。
【図９】防水パンにおける排水勾配の形成方法を例示する説明図である。
【図１０】防水パンにおける排水勾配の形成方法を例示する説明図である。
【図１１】防水パンにおける排水口と開口部の位置を示す説明図である。
【図１２】防水パンにおける排水口と開口部の位置を示す説明図である。
【図１３】防水パンにおける排水口と開口部の位置を示す説明図である。
【図１４】防水パンにおける排水口と開口部の位置を示す説明図である。
【図１５】防水パンにおける排水口と開口部の位置を示す説明図である。
【図１６】本発明のシャワーコアユニット防水パン構造の一例を示す模式平面図である。
【図１７】本発明のシャワーコアユニット防水パン構造の説明図である。
【図１８】本発明のシャワーコアユニット防水パン構造の説明図である。
【図１９】本発明のシャワーコアユニット防水パン構造の説明図である。
【図２０】実施例１のシャワーコアユニット防水パン構造の説明図である。
【図２１】比較例１のシャワーコアユニット防水パン構造の説明図である。
【図２２】比較例２のシャワーコアユニット防水パン構造の説明図である。
【符号の説明】
【００３４】
１  シャワーコアユニット防水パン
２  壁パネル設置面
２ａ  長辺側壁パネル設置面
２ｂ  短辺側壁パネル設置面
３  排水口
４  ドア位置
５  主要領域
６  溝
７，７ａ，７ｂ，８ａ，８ｂ  勾配
８  稜線
９  開口部
３１〜３７  排水勾配面
【図１】
2006257837.tif 000006
【図２】
2006257837.tif 000007
【図３】
2006257837.tif 000008
【図４】
2006257837.tif 000009
【図５】
2006257837.tif 000010
【図６】
2006257837.tif 000011
【図７】
2006257837.tif 000012
【図８】
2006257837.tif 000013
【図９】
2006257837.tif 000014
【図１０】
2006257837.tif 000015
【図１１】
2006257837.tif 000016
【図１２】
2006257837.tif 000017
【図１３】
2006257837.tif 000018
【図１４】
2006257837.tif 000019
【図１５】
2006257837.tif 000020
【図１６】
2006257837.tif 000021
【図１７】
2006257837.tif 000022
【図１８】
2006257837.tif 000023
【図１９】
2006257837.tif 000024
【図２０】
2006257837.tif 000025
【図２１】
2006257837.tif 000026
【図２２】
2006257837.tif 000027